(57)【特許請求の範囲】
【請求項１】
水と米とを含む被炊飯物が投入される鍋と、前記鍋内の被炊飯物を加熱する加熱手段と、前記鍋の開口部を塞ぐ蓋体と、前記加熱手段を制御して前記鍋内の被炊飯物を炊飯する炊飯工程を実行する制御装置とを備えた炊飯器において、
前記蓋体には、前記鍋内のおねばが噴出されるおねば噴出孔と、前記噴出孔からのおねばを一時貯留する貯留室と、前記貯留室に貯留されたおねばを前記鍋内へ戻す戻し弁とを設け、
前記貯留室に前記鍋内で生成されるおねばを加熱してお焦げ匂いを付けるおねば加熱手段を設けて、前記制御装置は、前記炊飯工程の実行時に前記鍋内で生成されるおねばの一部を前記鍋内から前記貯留室に取出して、沸騰維持工程と蒸らし工程の前半において前記おねば加熱手段で加熱してお焦げ匂いを付け、その後再び前記鍋内に戻して炊飯を継続することを特徴とする炊飯器。
【請求項２】
前記おねば噴出孔は、前記鍋内の蒸気を噴出させる蒸気孔で兼用し、前記戻し弁は前記鍋内が負圧になったときに開成する負圧弁で兼用したことを特徴とする請求項１に記載の炊飯器。
【請求項３】
前記蓋体には、前記鍋内で生成されたおねばを一時貯留する貯留タンクを設けて、前記貯留タンクは前記貯留室に連通されていることを特徴とする請求項１に記載の炊飯器。
【請求項４】
前記貯留タンクは、前記蓋体に着脱自在な固着手段により固定したことを特徴とする請求項３に記載の炊飯器。
【発明の詳細な説明】
【技術分野】
【０００１】
本発明は炊飯器及び炊飯方法に係り、詳しくは炊き立てのご飯にお焦げ匂いを付ける炊飯器及び炊飯方法に関するものである。
【背景技術】
【０００２】
近年の炊飯器は、マイクロコンピュータが搭載されて、このマイクロコンピュータによって、白米・玄米等の米種に応じて炊飯方法を選択決定できる米種炊飯メニュー、硬め・柔らかめ等を調節してお好みの炊飯を選択できる好み炊飯メニュー或いは炊き上げたご飯に焦げ目を付けるお焦げ炊飯メニュー等の各種炊飯メニューを備え、各種炊飯メニューを実行できるようになっている。お焦げ炊飯メニューを備えた炊飯器は、例えば下記特許文献１及び２に開示されている。
【０００３】
下記特許文献１に開示された炊飯器は、炊飯終了後に内釜を再加熱して、炊き上がったご飯に焦げ目を付けるものである。具体的には、このお焦げ炊飯メニューを備えた炊飯器は、米と水とを入れる内釜と、この内釜の底部を加熱する加熱板と、この加熱板の加熱量を制御する制御装置とを備え、制御装置は、炊飯工程終了後に加熱板への通電を開始して釜底を高温（１２０℃以上）に加熱して、炊き上がったご飯に焦げ目を付けるようになっている。この炊飯器は、炊飯量に応じて釜底温度を変更して、濃淡の異なった焦げ目を付けることができるようにもなっている。
【０００４】
また、下記特許文献２に開示された炊飯器は、加熱手段に電磁誘導コイルを用いた炊飯器において焦げ目を付けるようにしたものである。この炊飯器は、内鍋を誘導加熱する誘導加熱手段と、おこげ加熱制御モード設定手段と、おこげ加熱制御手段とを備え、おこげ加熱制御手段は、所定の加熱制御を含んでおこげ加熱工程におけるおこげ加熱制御を実行するように構成されている。この炊飯器は、内釜をヒータプレートで直接加熱するものに比べて余熱を含めたトータルの加熱時間が長くなり、再加熱する温度をこのヒータプレートによるものより高くしなければならないので、オーバーヒートを防止する過熱防止装置が設置されている。すなわち、加熱手段に電磁誘導コイルを用いると、上記炊飯器の加熱板、いわゆるヒータプレートのように直に鍋を加熱するのでないことから余熱作用が小さくなり、ヒータプレートに比べて加熱出力が高く設定されるので、オーバーヒートを防止する過熱防止装置が設けてられている。
【特許文献１】実開昭５８−２９０２７号公報（実用新案登録請求の範囲、図６）
【特許文献２】特開２００３−３２５３３１号公報（段落〔０００２〕〜〔０００５〕、図６）
【発明の開示】
【発明が解決しようとする課題】
【０００５】
上記特許文献１及び２の炊飯器によれば、炊き上がったご飯を再加熱することによって焦げ目を付けることができる。しかしながら、この焦げ目を付けるのに、下記特許文献１の炊飯器では、炊飯終了後に鍋を高温（１２０℃以上）に昇温して再加熱しなければならない。このため炊飯器を構成する部品、例えば鍋を収容する収容ケース及びその他の部品等は、この高温に耐える材料のものを使用しなければならず、一方でまたオーバーヒートに備えて過熱防止対策が必要となるので、このような材料の使用及び安全対策を講じるとなると炊飯器のコスト高を招くことになる。また、下記特許文献２の炊飯器は、過熱防止対策を講じて、オーバーヒートしないように時間をかけて焦げ目を付けるもので上記炊飯器と同じ課題が潜在している。
【０００６】
本発明者は、炊飯器の開発・製品化に長年携わり、近年は、鍋内の圧力を大気圧以上に昇圧して炊飯する圧力式炊飯器において、吸水工程後の沸騰維持工程で圧力弁を一時開放して鍋内圧力を高圧から大気圧近傍まで一気に低下させて、鍋内で米粒を激しく攪拌させる、いわゆる突沸現象を起こさせて炊飯する炊飯器を開発して、これらの技術に関する発明で既に数件の特許取得している（例えば、特許第３８５１２９３号公報参照）。例えば、特許第３８５１２９３号公報に開示の圧力式炊飯器は、炊飯工程の沸騰維持工程において、圧力弁を強制的に開成させて沸騰中の鍋内の圧力を大気圧近傍となるように一気に低下させることにより、鍋内に突沸現象を発生させて米粒を攪拌するように制御して炊飯するものである。この沸騰維持工程では、鍋内の突沸現象に連動して、大量のおねばが噴出し、このおねばは炊飯工程中に再び鍋に戻されるのであるが、このおねばはご飯のうまみ成分で構成されている。本発明者は、このおねばを加熱するとお焦げ匂いが発生するのを見出し、このお焦げ匂いのついたおねばを鍋に戻せば、従来技術のように、鍋を高温に加熱することなく、勿論過熱防止装置等を不要にして、簡単にご飯にお焦げ匂いを付けることができ、しかも実際の焦げ目を付けるまでに至らなくとも、簡単にお焦げ匂いを付けることができることに想到し、本発明を完成させるに至ったものである。
【０００７】
そこで、本発明は、このような従来技術の課題を解決するとともに上記の開発状況を踏まえてなされたもので、本発明の目的は、焦げ目に至らないが香ばしいお焦げ匂いを付けることができる炊飯器を提供することにある。
【課題を解決するための手段】
【０００８】
上記目的を達成するために、請求項１に記載の炊飯器の発明は、水と米とを含む被炊飯物が投入される鍋と、前記鍋内の被炊飯物を加熱する加熱手段と、前記鍋の開口部を塞ぐ蓋体と、前記加熱手段を制御して前記鍋内の被炊飯物を炊飯する炊飯工程を実行する制御装置とを備えた炊飯器において、前記蓋体には、前記鍋内のおねばが噴出されるおねば噴出孔と、前記噴出孔からのおねばを一時貯留する貯留室と、前記貯留室に貯留されたおねばを前記鍋内へ戻す戻し弁とを設け、前記貯留室に前記鍋内で生成されるおねばを加熱してお焦げ匂いを付けるおねば加熱手段を設けて、前記制御装置は、前記炊飯工程の実行時に前記鍋内で生成されるおねばの一部を前記鍋内から前記貯留室に取出して、沸騰維持工程と蒸らし工程の前半において前記おねば加熱手段で加熱してお焦げ匂いを付け、その後再び前記鍋内に戻して炊飯を継続することを特徴とする。
【００１０】
また、請求項２に記載の発明は、請求項１の炊飯器において、前記おねば噴出孔は、前記鍋内の蒸気を噴出させる蒸気孔で兼用し、前記戻し弁は前記鍋内が負圧になったときに開成する負圧弁で兼用したことを特徴とする。
【００１１】
また、請求項３に記載の発明は、請求項１の炊飯器において、前記蓋体には、前記鍋内で生成されたおねばを一時貯留する貯留タンクを設けて、前記貯留タンクは前記貯留室に連通されていることを特徴とする。
【００１２】
また、請求項４に記載の発明は、請求項３の炊飯器において、前記貯留タンクは、前記蓋体に着脱自在な固着手段により固定したことを特徴とする。
【発明の効果】
【００１５】
本発明は、上記構成を備えることにより、以下に示す優れた効果を奏する。すなわち、請求項１の発明によれば、鍋内で生成されたおねばの一部を取出して、このおねばをおねば加熱手段で加熱して再び鍋内に戻すので、お焦げ匂いを炊き立てのご飯に付けることができる。すなわち、おねばはうまみ成分でできているので、このおねばを焦がすとお焦げ匂いが生じ、これを被炊飯物に付加ことによって、お焦げ匂いを付けることができる。したがって、従来技術のように、鍋内を高温（１２０℃以上）に加熱することや、それに伴って必要となっていた過熱防止策を講じることなく簡単にお焦げ匂いを付けることができる。
【００１６】
また、蓋体には、鍋内のおねばが噴出されるおねば噴出孔と、この噴出孔からおねばを一時貯留する貯留室とを設けて、この貯留室におねば加熱手段を配設することにより、鍋内のおねばの一部を簡単に抽出して貯留室でお焦げ匂いを付けることができる。
【００１７】
また、請求項２の発明によれば、炊飯器には、通常、蓋体に蒸気孔及び負圧弁が設けられているので、これらをおねば噴出孔及び戻し弁と兼用して使用することにより、これまでの炊飯器を大幅に改造することなく、容易にお焦げ匂いを付けることができる。
【００１８】
また、請求項３の発明によれば、蓋体には、鍋内で生成されたおねばを一時貯留する貯留タンクを設けて、この貯留タンクは貯留室に連通しているので、大量のおねばを抽出して貯留することが可能になる。特に、圧力式炊飯器は、炊飯時に鍋内に激しい沸騰状態、いわゆる突沸現象を起こさせて鍋内で米を攪拌する際に、大量のおねばが蒸気孔から噴出するので、貯留タンクを設けることは、この種の圧力式炊飯器に好適である。
【００１９】
また、請求項４の発明によれば、貯留タンクは、蓋体に着脱自在な固着手段により固定したので、簡単に取外して洗浄等をすることが可能になる。
【発明を実施するための最良の形態】
【００２１】
以下、図面を参照して本発明の最良の実施形態を説明する。但し、以下に示す実施形態は、本発明の技術思想を具体化するための炊飯器及び炊飯方法を例示するものであって、本発明をこの炊飯器及び炊飯方法に特定することを意図するものではなく、特許請求の範囲に含まれるその他の実施形態のものも等しく適応し得るものである。
【００２２】
本発明の一実施形態に係る炊飯方法は、鍋内に米と水とを含む被炊飯物を収容する工程と、前記鍋内の被炊飯物を加熱沸騰させておねばを生成する工程と、前記生成されたおねばの一部を前記鍋内から取出して、加熱してお焦げ匂いを付ける工程と、前記お焦げ匂いの付いたおねばを再び前記鍋内に戻す工程とを含んで構成され、上記の工程を順次実行することによって炊飯を行うものである。
【００２３】
この炊飯方法によれば、鍋内で生成されたおねばの一部を取出して、このおねばをお焦げ加熱手段で加熱して再び鍋内に戻すので、お焦げ匂いを炊き立てのご飯に付けることができる。すなわち、おねばは、うまみ成分でできているため、このおねばを加熱すると、お焦げ匂いを生じさせることができ、これを鍋内に戻せばお焦げ匂いをご飯に付けることができる。したがって、従来技術のように、高温（１２０℃以上）に加熱することや、それに伴って必要となっていた過熱防止策を講じることなく簡単にお焦げ匂いを付けることができる。
【００２４】
次に、図１〜図４を参照して、この炊飯方法を採用する炊飯器の１例を説明する。なお、図１は本発明の一実施形態に係る炊飯器の正面図、図２は図１の圧力式炊飯器の縦断面図、図３は図２の圧力弁開放機構の拡大図、図４は図２のＸ部分の拡大図である。
【００２５】
圧力式炊飯器（以下、単に「炊飯器」という）１は、図１及び図２に示すように、米と水を含む被炊飯物が投入される鍋１０と、上方にこの鍋１０が収容される開口部及び内部にこの鍋１０を加熱し被炊飯物を加熱する底部ヒータ５及び側面ヒータ６を有する炊飯器本体（以下、本体という）２と、この本体２の一側に枢支されて開口部を覆い閉塞状態に係止するロック機構を有する蓋体１１と、この蓋体１１に装着されて鍋１０内の圧力を調整する本発明のおねば噴出孔としての圧力弁１３と、この圧力弁１３を開閉制御する圧力弁開放機構１５と、炊飯のスタート、タイマー予約及び保温等の操作を行う表示操作部８と、この表示操作部８からの炊飯の開始信号に従って底部ヒータ５及び側面ヒータ６等及び圧力弁開放機構１５を制御する制御装置９とを備えている。この制御装置９は、記憶手段を有し、この記憶手段には各種の炊飯メニューに対応した炊飯プログラムが記憶されている。炊飯メニューは、米種炊飯メニュー、好み炊飯メニュー及びお焦げ炊飯メニュー等が設けられており、それぞれに対応する炊飯プログラムはそれぞれ、鍋内の被炊飯物を所定温度に加熱すると共に、所定時間かけて所定量の水分を被炊飯物に吸水させる吸水工程、この吸水された被炊飯物を沸騰するまで昇温加熱する立上加熱工程、この被炊飯物を沸騰状態に維持する沸騰維持工程、この沸騰維持工程後に被炊飯物を蒸らす蒸らし工程、この蒸らし工程後に炊き上がった炊飯物を所定温度で保温する保温工程等を備えて構成されており、上記工程を順次実行するものとなっている。これらの炊飯工程のうち、立上加熱工程及び沸騰維持工程では、鍋内が大気圧以上、例えば１．１〜２．２気圧程度に昇圧されて炊飯が実行される。
【００２６】
本体２は、有底箱型の外部ケース３と、この外部ケース３に収容されてその中に鍋１０が収容される内部ケース４とからなり、外部ケース３と内部ケース４との間には隙間が形成されて、この隙間に制御装置９を構成する制御回路基板等（図示省略）が配設されている。内部ケース４は、その底部４ａに底部ヒータ５、側部４ｂに側面ヒータ６がそれぞれ装着されている。底部ヒータ５は、ドーナツ状に巻装した電磁誘導コイルが使用されている。側面ヒータ６は、電熱線を耐熱部材で覆ったヒータが使用されている。また、底部４ａには、鍋底温度を検出するサーミスタ等からなる鍋底温度センサ７が設けられている。
【００２７】
この本体２は、図１に示すように、その正面２ａに各種炊飯メニューを表示する表示パネル８ａ及びこの炊飯メニューを選択・設定等するための操作ボタンからなる表示操作部８が設けられている。
【００２８】
鍋１０は、図２に示すように、米と水とからなる所定量の被炊飯物が投入される比較的深底の容器からなり、アルミニウムとステンレスとのクラッド材で形成されている。
【００２９】
蓋体１１は、図２に示すように、鍋１０の開口部を閉蓋する内蓋１２と、本体２の開口部全体を閉蓋する外蓋２０等とで構成されている。この蓋体１１は、一端が本体２の一端に枢軸１１Ａで枢支され、他端が本体２の他端にロック機構２１により係止されるようになっている。内蓋１２には、その上部に圧力弁１３、この圧力弁１３を強制的に開放させる圧力弁開放機構１５、鍋１０内の圧力が所定値以上の異常圧力に上昇したときに鍋１０内の蒸気を外部に逃がすための安全弁（図示省略）、鍋１０内を上方から加熱する内蓋ヒータ１９等が設けられている。
【００３０】
これらの部品のうち、内蓋ヒータ１９は、側面ヒータ６と同じような電熱線を耐熱部材で覆ったヒータが使用されている。また、圧力弁１３は、図２、図３に示すように、所定径の弁孔１３1が形成された弁座１３ａと、この弁孔１３1を塞ぐように弁座１３ａ上に載置される金属製のボール１４と、このボール１４の移動を規制し弁座１３ａ上に保持するカバー１３ｂとで構成されている。このボール１４は、所定の重さを有し、その自重により弁孔１３1を閉塞する。
【００３１】
圧力弁開放機構１５は、図３に示すように、電磁コイルが巻回されたシリンダ１５ａと、このシリンダ内を電磁コイルの励磁により摺動してボール１４を移動させるプランジャ１５ｂと、このプランジャの先端に装着されたバネ及び作動棹１５ｂ’とで構成されている。作動棹１５ｂ’は、弾力性を有するシール部材１５ｃで支持されている。
【００３２】
この圧力弁開放機構１５は、制御装置９によって制御される。すなわち、制御装置９からの指令に基づいて電磁コイルが励磁されると、プランジャ１５ｂがシリンダ１５ａから突出して作動棹１５ｂ’がボール１４に衝突して、このボール１４を横方向に押し出す。この押し出しにより、ボール１４は弁座１３ａ上から移動されて、弁孔１３1が強制的に開放される。また、この開放状態において、電磁コイルへの励磁がストップされると、プランジャ１５ｂがシリンダ１５ａ内にばね力により引き戻され、この引き戻しにより、プランジャ１５ｂがボール１４を横方向に押す力がなくなるので、このボール１４はその自重により弁座１３ａ上に戻り、弁孔１３1がボール１４により閉塞される。この圧力弁の弁孔は、炊飯時に鍋内で生成されたおねばを噴出するので、おねば噴出孔でもある。
【００３３】
圧力弁１３の上部には、弁孔１３1から噴出する蒸気の温度を測定する蒸気温度センサＳが取付けられている。
【００３４】
内蓋１２は、図２に示すように、その上面におねばを一時貯留するおねば貯留室（以下、貯留室）２６が設けられている。この貯留室２６は、内蓋１２上面から所定の間隔をあけて上方へ所定長さ立設した隔壁で囲まれて、上方が開口した所定大きさの室で形成されている。また、この貯留室２６は、一端が圧力弁１３に、他端が後述する本発明の貯留タンクとしてのおねば貯留キャップ（以下、貯留キャップ）２５の蒸気流通路にそれぞれ連通している。さらに、この貯留室２６は、不図示の負圧弁に連通しており、貯留されたおねばがこの負圧弁の開成に伴って鍋１０へ戻される。
【００３５】
この貯留室２６内には、おねばを焦がす本発明のおねば加熱手段としてのおねば加熱ヒータ２７が設置されて、貯留されるおねばを加熱しておねばがお焦げ匂いを生じるようになっている。したがって、圧力弁１３から流出されるおねばは、貯留室２６を通過する際にお焦げ匂いが付けられて、貯留キャップ２５に一時貯留されることになる。また、この貯留キャップ２５に貯留されたおねばは、所定量になるとキャップ内の戻し弁Ｖが開成して貯留室２６へ戻り、この貯留室から鍋１０内へ戻される。鍋１０へ戻されたおねばは、お焦げ匂いが付いているので、炊き上がったご飯はお焦げ匂いがするものとなる。なお、この実施形態では、蓋体に貯留室、おねば加熱ヒータを設けたが、本体に設けるようにしてもよい。
【００３６】
内蓋１２は、その外周に鍋１０の開口部と接触して密閉する内蓋パッキン１８が装着されている。この内蓋パッキン１８は、図４にその一端部を示すように、内部に円盤状の内蓋１２の直径より若干小さい直径を有する円形孔１８Ａと、内蓋１２の外周縁にリング状の取付け枠１６を介在して取付ける取付け部１８Ｂと、鍋１０の開口部と接触してこの開口部を密閉するシール部１８Ｃとを有し、全体がドーナツ状をしたリングからなり、耐熱性及び弾性を有するシリコン材で形成されている。
【００３７】
取付け部１８Ｂは、リング状の取付け枠１６が装着される凹状溝１８Ｂ’を有し、円形孔１８Ａの外周囲に形成されている。この凹状溝１８Ｂ’は、円形孔１８Ａから外方へ延設された略平坦な環状の溝底部１８ａと、この溝底部の円形孔１８Ａ側の端部から上方へ略直角に立設された筒状壁１８ｂと、溝底部１８ａから延びた延設部１８ａ’とで構成されている。筒状壁１８ｂには、その頂部から外方へ突出してその先端が下方へ曲がった鉤状の係止爪１８ｂ’が形成されている。シール部１８Ｃは、溝底部１８ａの延設部１８ａ’から更に延設された略Ｕ字状に形成されている。このＵ字状のシール部１８Ｃは、延設部１８ａ’から延びてＵ字状の底部に対応するバネ片部１８ｄと、このバネ片部から延びた弾性シール部１８ｅとで形成されている。弾性シール部１８ｅは、鍋１０の内壁１０ａに接触する先端接触部１８1と、内壁１０ａと鍋フランジ１０ｃとの間の湾曲部１０ｂに接触する中間接触部１８2とを有している。
【００３８】
取付け枠１６は、凹状溝１８Ｂ’内に嵌め込まれて溝底部１８ａ面に当接される底部１６ａと、この底部から上方へ延びた胴部１６ｂと、この胴部の上に設けた平坦な頂部１６ｃとを有し、全体がドーナツ状をなしたリング枠からなり、耐熱性及び所定の機械的強度を有する樹脂成型体で形成されている。この取付け枠１６は、その頂部１６ｃの平坦面に、この平坦面から底部１６ａに向かって垂下した雌ネジ穴１６1が刻設されている。また、この頂部１６ｃの平坦面には係止溝１６2が形成されている。さらに、胴部１６ｂの側面、すなわち筒状壁１８ｂの面側に係止溝１６3を有するＨ型の係合部１６ｂ’が形成されている。このＨ型の係合部１６ｂ’の係止溝１６3には、筒状壁１８ｂの頂部に設けた係止爪１８ｂ’が係止される。
【００３９】
内蓋１２への内蓋パッキン１８の装着は、先ず、内蓋パッキン１８にリング状の取付け枠１６を装着する。この装着は、リング状の取付け枠１６を内蓋パッキン１８の筒状壁１８ｂの頂部に載置して、この取付け枠１６を下方へ押付ける。この押付けにより、筒状壁１８ｂはその弾性力により内側へ撓み、取付け枠１６を下方へ挿入できるようになる。取付け枠１６の底部１６ａが凹状溝１８Ｂ’の底部面に接触する位置まで押付けられると、筒状壁１８ｂの復元力により元の位置へ復帰し、このタイミングで頂部の係止爪１８ｂ’をＨ型係合部の係合溝１６3に係止させる。この係止により、取付け枠１６に内蓋パッキン１８が固定される。その後、この内蓋パッキン１８が固定された取付け枠１６を内蓋１２の外周縁に当接させて外周縁に設けた雌ネジ穴１６1に雄ネジ１７を螺合させて固定する。
【００４０】
この内蓋パッキン１８によれば、Ｕ字状のシール部１８Ｃを有し、このシール部１８Ｃは、Ｕ字状の底部に対応するバネ片部１８ｄと、このバネ片部１８ｄから延びた弾性シール部１８ｅとで構成されているので、蓋体１１で本体２の開口部を閉塞したときに、このＵ字状のシール部１８Ｃの弾性シール部１８ｅがバネ片部１８ｄのバネ力に抗して鍋１０の内壁１０ａの面及び湾曲部１０ｂの内面に密着して気密性が確保される。したがって、鍋１０内部からの蒸気漏れが殆ど無くなり、熱エネルギーの損失を最小限に抑えることができるので省エネルギー化を図ることができる。また、この内蓋パッキン１８は、取付け枠１６を介在させて内蓋１２に固定するので、弾性を有する内蓋パッキン１８を機械的強度の強い取付け枠１６で支持した取付け構造となり、内蓋パッキン１８を堅固に固定できる。さらに、取付け枠１６と内蓋パッキン１８とは、工具を使用することなく、装着したり取外したりできるので、古くなった内蓋パッキンは簡単に交換できる。
【００４１】
外蓋２０は、図２に示すように、内蓋１２及びこの内蓋に装着された圧力弁１３、圧力弁開放機構１５等を覆う化粧カバーで形成されている。この外蓋２０は、一端部に蓋体１１のロック機構２１を解除する解除釦２２が設けられている。また、この外蓋２０は、他端部の枢軸１１Ａ側に装着部２４が設けられている。この装着部２４は、貯留キャップ２５が着脱自在に挿入できる大きさを有する有底の凹み穴からなり、外蓋２０を支えるフレームの部分に形成されている。また、この装着部２４は、その底部に後述する貯留キャップ２５の吐出筒２５ａが圧入される装着穴２４ａが形成されている。この装着穴２４ａには、内部に環状シール部材が取付けられて、吐出筒２５ａの外周面と圧接されて鍋１０内の蒸気が外部へ漏出しないようになっている。
【００４２】
貯留キャップ２５は、圧力弁１３等から放出される蒸気等を吐出させる吐出筒２５ａと、うまみ成分のおねばを貯留する空室２５ｂと、蒸気を外部へ放出する蒸気放出口２５ｃとを有し、空室２５ｂの底部には、貯留されたおねばを鍋１０内に戻すおねば戻し弁Ｖが設けられている。なお、このうまみ成分のおねばは、圧力弁１３から蒸気が噴出する際に、この蒸気と一緒に鍋内から圧力弁１３を通して導出されて、この貯留キャップ２５の空室２５ｂに貯留される。この空室２５ｂに貯留されたおねばが所定量になると、戻し弁Ｖが開成するとともに、内蓋１２に設けられた負圧弁（図示省略）が開成され、それによっておねばは鍋１０内へ戻される。
【００４３】
次に、図５を参照して、制御装置９の構成を説明する。なお、図５はこの制御装置を構成する制御ブロック図である。
【００４４】
制御装置９は、種々の演算処理を行うＣＰＵ、各種データ及び炊飯プログラムの記憶を行うＲＯＭ及びＲＡＭからなる記憶手段、選択された炊飯メニューを検出する炊飯メニュー検出回路、圧力弁の開閉時間が設定された弁開閉タイマー、圧力弁の開閉回数をカウントするカウンタと、鍋内の加熱温度及び加熱時間を制御する加熱制御回路、おねばを加熱するおねば加熱制御回路、表示パネルに表示される表示画面を制御するための表示パネル制御回路、圧力弁開放機構を駆動させて圧力弁の開閉タイミングを制御する圧力弁開放機構駆動回路等を備えて構成されている。
【００４５】
記憶手段には、各種の炊飯メニューに対応した炊飯プログラムが記憶されている。炊飯メニューは、米種炊飯メニュー、好み炊飯メニュー及びお焦げ炊飯メニュー等が設けられており、それぞれのメニューに対応する炊飯プログラムはそれぞれ、吸水工程、立上加熱工程、沸騰維持工程、蒸らし工程、追い炊き工程等を含んで構成されている。
【００４６】
この制御装置９には、表示操作部８のメニューキー８1、スタートキー８2、予約キー８3等から各種の指令が入力される。制御装置９には、同様に鍋底温度センサ７及び蒸気温度センサＳ等からそれぞれの検出値が入力される。また、この制御装置９は、底部ヒータ５、側面ヒータ６、内蓋ヒータ１９及びおねば加熱ヒータ２７、表示パネル８ａ、圧力弁開放機構１５等が接続されている。
【００４７】
次に、図６を参照して、炊飯工程におけるお焦げ炊飯を説明する。なお、図６は炊飯工程における鍋内の温度変化、圧力弁制御、加熱ヒータ制御等を示すチャート図である。
【００４８】
表示操作部８が操作されて、表示パネル８ａに表示された炊飯メニューからお焦げメニューが選定されて、制御装置９は、このお焦げ炊飯プログラムにしたがって、底部ヒータ５、側面ヒータ６及び圧力弁１３を制御して、鍋１０内の被炊飯物を所定温度に加熱すると共に、所定温度及び時間をかけて所定量の水分を被炊飯物に吸水させる吸水工程Ｉ、この吸水された被炊飯物を沸騰するまで昇温加熱する立上加熱工程II、この被炊飯物を沸騰状態に維持する沸騰維持工程III、この沸騰維持工程後に被炊飯物を蒸らす蒸らし工程IVを実行する。これらの炊飯工程Ｉ〜ＩＶのうち、吸水工程Ｉでは被炊飯物を例えば６０℃で１５分間加熱することによって吸水を行い、また立上加熱工程II及び沸騰維持工程IIIでは、鍋内を所定圧力、例えば１．２気圧に昇圧して炊飯を行う。そして、この沸騰維持工程IIIでは、圧力弁１３を強制的に1回乃至複数回開成させて沸騰中の鍋１０内の圧力を大気圧近傍となるように一気に低下させる。この圧力弁１３の開成により鍋内には突沸現象が発生し米が激しく攪拌される。また、この圧力弁１３の開成によって、鍋１０内に生成されたおねばがこの圧力弁１３を通って貯留室２６を通過して貯留キャップ２５に貯留される。炊飯メニューにおいてお焦げメニューが選択された場合には、沸騰維持工程IIIでおねば加熱ヒータ２７に通電されて、このおねば加熱ヒータ２７によって貯留室２６を通過するおねばが加熱されてお焦げ匂いが付いて貯留キャップ２５に貯留される。勿論、この貯留室２６に貯留されるおねば及び貯留キャップ２５に一時貯留されたおねばが戻し弁Ｖを通って戻されるおねばにもお焦げ匂いが付着される。
【００４９】
この貯留キャップ２５に貯留されたおねばが所定量になると、キャップ内の戻し弁Ｖが開成されて、おねばは貯留室２６へ戻り、この貯留室２６から鍋１０内へ戻される。鍋１０へ戻されたおねばは、お焦げ匂いが付いているので、炊き上がったご飯はお焦げ匂いがするものとなる。沸騰維持工程III終了後は、蒸らし工程へ移行するが、おねば加熱ヒータ２７へ通電することは、この蒸らし工程前半の蒸らし工程IV1まで継続される。追い炊き工程IV2では、底部ヒータ５及び内蓋ヒータ１９に通電され、鍋１０内の炊飯物を蒸らすことがさらに継続される。
【００５０】
以上、本発明の一実施形態の圧力式炊飯器を説明したが、この発明は、この圧力式炊飯器に限定されるものではなく、通常の非圧力式の炊飯器にも適用できるものである。
【図面の簡単な説明】
【００５１】
【図１】図１は本発明の実施形態に係る圧力式炊飯器の正面図である。
【図２】図２は図１の圧力式炊飯器の縦断面図である。
【図３】図３は図２の圧力弁開放機構の拡大図である。
【図４】図４は図２のＸ部分の拡大図である。
【図５】図５は制御装置を構成する制御ブロック図である。
【図６】図６は炊飯工程の温度・圧力変化示す特性図である。
【符号の説明】
【００５２】
１    圧力式炊飯器（炊飯器）
２    炊飯器本体（本体）
３    外部ケース
４    内部ケース
５    底部ヒータ
６    側面ヒータ
７    鍋底温度センサ
８    表示操作部
９    制御装置
１０    鍋
１１    蓋体
１２    内蓋
１３    おねば噴出孔（圧力弁）
１４    ボール
１５    圧力弁開放機構
１６    取付け枠
１８    内蓋パッキン
１９    内蓋ヒータ
２０    外蓋
２５    おねば貯留タンク（貯留キャップ）
２６    おねば貯留室（貯留室）
２７    おねば加熱手段（おねば加熱ヒータ）
【図１】
0005328221.tif 000002
【図２】
0005328221.tif 000003
【図３】
0005328221.tif 000004
【図４】
0005328221.tif 000005
【図５】
0005328221.tif 000006
【図６】
0005328221.tif 000007